(57)【要約】【課題】本発明の目的は、複数の高さ調整可能な床台を室内にすき間なく敷設して、所定の高さに床高さを嵩上げする床台ユニットにおいて、掃除などで床台を持ち上げる時に、つかみやすく床台本体を持ち上げやすく、かつ、変形して緩んだり外れたりしない床台を提供することである。【解決手段】本発明では、平面視形状が方形の板材と高さ調整可能な脚部を有する支持材にて床架台を形成し、床架台の上部を覆う平面視形状が方形の表面材より成る床台において、前記支持材は少なくとも床台端部に設けられ、かつ床台端部支持材の上面に手先が入る大きさの切り欠きを設けたことを特徴とする。【選択図】  図２
2004232403.tif 000002
【特許請求の範囲】
【請求項１】
平面視形状が方形の板材と高さ調整可能な脚部を有する支持材にて床架台を形成し、床架台の上部を覆う平面視形状が方形の表面材より成る床台において、前記支持材は少なくとも床台端部に設けられ、かつ床台端部支持材の上面に手先が入る大きさの切り欠きを設けたことを特徴とする床台。
【請求項２】
平面視形状が方形の板材と高さ調整可能な脚部を有する支持材にて床架台を形成し、床架台の上部を覆う平面視形状が方形の表面材より成る床台において、前記板材または前記支持材に、上面に手先が入る大きさの切り欠きが設けられたキャップ部材が付設されることを特徴とする床台。
【発明の詳細な説明】
【０００１】
【発明の属する技術分野】
本発明は、室内に床台をすき間なく敷設し床高さを所定の高さに嵩上げする床台ユニットに関するもので、特に浴室洗い場床面と出入り口との段差を解消するために洗い場床面に設置する床台に関する。
【０００２】
【従来の技術】
室内に床台をすき間なく敷設し、床高さを所定の高さに嵩上げする床台において、掃除などで床台を持ち上げる時の手掛かりとして取手を床台の表面部材に取り付け、その取手は表面部材から出没自在であり、通常は歩行者の邪魔にならないように取手を表面部材に押し込み、床台を持ち上げる時に取手を取り出し、取手をつまみながら床台本体を持ち上げる床台がある（例えば、特許文献１参照）。また、指先が入る大きさの切り欠きまたは穴が施してある端仕舞部材が床台の表面部材の端部に差し込まれ取り付けてあり、端仕舞部材の切り欠きまたは穴に指先を入れて表面部材と共に床台本体を持ち上げる床台もある（例えば、特許文献２参照）。
【０００３】
【特許文献１】
特開２０００−３７３１６号公報（第６頁、第２図）
【特許文献２】
特開２０００−１２９９００号公報（第６頁、第３図）
【０００４】
【発明が解決しようとする課題】
従来の表面部材に出没自在な取手を取り付けて、通常は歩行者の邪魔にならないように取手を表面部材に押し込み、床台を持ち上げる時に取手を取り出し、取手をつまみ床台本体を持ち上げる床台では、掃除などで床台を持ち上げるには、わざわざ取手を表面部材から取り出す手間がかかり、さらに掃除が終わり床台を元の設置場所に戻した時に取手を表面部材に押し込み忘れると、取手が突出した状態となり、気づかずにそのまま床台を使用すると歩行者が取手につまづき、けがするという問題がある。
【０００５】
また、端仕舞部材が床台の表面部材の端部に差し込まれ取り付けてあり、端仕舞部材に施された切り欠きまたは穴に指先を入れて表面部材と共に床台本体を持ち上げる床台では、端仕舞部材は表面材端部に差し込まれて取り付けられ、端仕舞部材の上板の厚さ分、表面材上面と端仕舞部材の上板とに段差が生じるので、段差でのつまずき防止や美観向上のため、なるべく段差が小さくなるよう端仕舞部材の上板は薄板状にする必要があり、端仕舞部材を持って重量の大きい床台を持ち上げる時は、端仕舞部材の上板が容易に変形して、緩んだり外れたりしやすいという問題がある。
【０００６】
本発明は、上記問題を解決するためになされたもので、本発明の目的は、複数の高さ調整可能な床台を室内にすき間なく敷設して、所定の高さに床高さを嵩上げする床台ユニットにおいて、掃除などで床台を持ち上げる時に、つかみやすく床台を持ち上げやすく、かつ、変形して緩んだり外れたりしない床台を提供することにある。
【０００７】
【課題を解決するための手段】
上記目的を達成するために請求項１は、平面視形状が方形の板材と高さ調整可能な脚部を有する支持材にて床架台を形成し、床架台の上部を覆う平面視形状が方形の表面材より成る床台において、前記支持材は、少なくとも床台端部に設けられ、かつ床台端部支持材の上面に手先が入る大きさの切り欠きを設けたことを特徴とする。
【０００８】
本発明において、床台の上面から切り欠き部に手を差し入れ、床台をつかみ持ち上げることが可能となり、切り欠き部は別部品でないので、重量の大きな床台でも緩んだり外れたりせず持ち上げることが可能となる。また、取手など手掛かりのための別部材の必要がなく部品数の削減、製造コストの削減がはかられる。
【０００９】
請求項２の発明は、平面視形状が方形の板材と高さ調整可能な脚部を有する支持材にて床架台を形成し、床架台の上部を覆う平面視形状が方形の表面材より成る床台において、前記板材または前記支持材に、上面に手先が入る大きさの切り欠きが設けられたキャップ部材が付設されることを特徴とする。
【００１０】
本発明において、キャップ部材の上面に設けられた切り欠き部が床台の手掛かりとなる。また、キャップ部材は表面材に差し込まれるための薄板状の上板を持つ必要がなく、変形しにくいブロック状の部材で板材または支持材に付設させることが可能となり、キャップ部材を持って重量が大きい床台を持ち上げても、キャップ部材が変形して、緩んだり外れたりすることがない。
【００１１】
【発明の実施の形態】
以下、本発明の実施形態の例を説明する。図１は、第一実施例の床台ユニットの構成を示す一部切欠平面図で、洗い場全面に四つの床台１８をすき間なく敷設している。図２は床台を分解して構成を示す斜視図である。床台１８は平面視形状が方形の板材１と二つの端部支持材２と、二つの中間支持材３と、端部支持材２および中間支持材３の幅方向両端部に取り付けられる支持脚４にて形成される床架台１７と平面視形状が方形の表面材５とで構成される。
【００１２】
板材１と表面材５はのこぎりなどで切断可能な材質とし、設置する室内の広さに合わせて長さ寸法をそれぞれ切断して、床台長さを決めて施工する。端部支持材２は、長さ寸法を調整した板材１の長さ方向両端部にそれぞれ取り付けられ、中間支持材３は板材１の長さ方向任意位置に取り付けることができる。
【００１３】
図３は端部支持材２の斜視図である。端部支持材２は幅方向断面が凹形状で板材１を支持する支持部６と、端仕舞部７とを有する。図４は中間支持材３の斜視図である。中間支持材３は板材１を支持する支持部６を有する。
【００１４】
端部支持材２と中間支持材３の支持部６の幅方向両端の突出部８にはそれぞれ上下に貫通したネジ穴部９が設けられ、ネジ軸部を有した支持脚４がネジ穴部９に螺入出自在にネジ止めされ、支持脚４とネジ穴部９の螺入量によって床台１８の高さ調整を行う。突出部８の上面は支持部６に支持された板材１の上面と同一面上とし、端部支持材２および中間支持材３の幅方向寸法は表面材５の幅寸法と略同一とすることで、表面材５の裏面は板材１の上面全面と端部支持材２および中間支持材３のそれぞれの突出部８の上面にて支持される。
【００１５】
端部支持材２の端仕舞部７の上面は、突出部８の上面より表面材５の厚み分だけ上部に位置し、端仕舞部７の内側側面が表面材５の木口面と当接することにより木口面の露出を防止し、また端仕舞部７の上面が表面材５の上面と同一面上であり、床台１８上面の段差はない。
【００１６】
端仕舞部７の外側側面には、平面視形状がなだらかな凹形状をした切り欠き部１０が設けられており、切り欠き部１０は手先が入る大きさとする。床台１８の長さ方向両端部に、端部支持材２の切り欠き部１６があり、床台１８の両端部を浴室の壁面もしくは浴槽エプロンに当接させて浴室洗い場に敷設した時に、切り欠き部１６が床台１８と浴室壁面もしくは浴槽エプロンとのすき間となり、床台を持ち上げる時の手掛かりとなる。
【００１７】
上記のような構成により、室内の広さにあわせて長さ調整された床台を浴室洗い場にすき間なく敷設した場合でも、掃除などで床台を上げる時に、つかみやすく床台を持ち上げやすく、かつ、変形して緩んだり外れたりしない床台の提供が可能となる。
【００１８】
図５は本発明の第二実施例の床台を分解して構成を示す斜視図である。床台２０は中空で平面視形状が方形の板材１と、三つの支持材１１と、支持材１１の幅方向両端部に取り付けられる支持脚４とで形成される床架台１９と、平面視形状が方形の表面材５と、板材１の長さ方向両端部に取り付けられる二つの端部キャップ部材１２とで構成される。
【００１９】
構成内容は第一実施例とほぼ同様であり、端部キャップ部材１２に関して説明を行う。図６は端部キャップ部材１２の斜視図である。端部キャップ部材１２は、板材１の中空部１３に挿入される挿入部１４と端仕舞部１５を有する。挿入部１４の幅方向断面形状は、中空部１３の幅方向断面形状と略同一であり、挿入部１４を中空部１３に挿入し、端部キャップ部材１２を板材１に取り付ける。
【００２０】
端部キャップ部材１２の端仕舞部１５の上面は表面材５の上面と同一面上、下面は支持材１１の下面と同一面上で、挿入部側側面の幅方向寸法は表面材５の幅寸法と略同一であり、端仕舞部１５の挿入部側側面が表面材５の木口面全面と当接し、木口面の露出を防止する。
【００２１】
端仕舞部１５の外側側面には、平面視形状がなだらかな凹形状をした切り欠き部１６が設けられており、切り欠き部１６は手先が入る大きさとする。床台２０の長さ方向両端部に、端部キャップ部材１２の切り欠き部１６があり、床台２０の両端部を浴室の壁面もしくは浴槽エプロンに当接させて浴室洗い場に敷設した時に、切り欠き部１６が床台２０と浴室壁面もしくは浴槽エプロンとのすき間となり、床台を持ち上げる時の手掛かりとなる。
【００２２】
上記のような構成により、室内の広さにあわせて長さ調整された床台を浴室洗い場にすき間なく敷設した場合でも、掃除などで床台を上げる時につかみやすく床台を持ち上げやすく、かつ、変形して緩んだり外れたりしない床台の提供が可能となる。
【００２３】
端仕舞部７の外側側面に形成する切り欠き部の平面視形状は、手先が入る大きさであれば、図７に示す四角形（ａ）、三角形（ｂ）、台形（ｃ）、半円（ｄ）、波形（ｅ）でも良く、また端仕舞部７の外側側面に各形状が複数並んでも良い。
【００２４】
【発明の効果】
本発明によれば、複数の高さ調整可能な床台を室内にすき間なく敷設して、所定の高さに床高さを嵩上げする床台ユニットにおいて、掃除などで床台を持ち上げる時に、つかみやすく床台を持ち上げやすく、かつ、変形して緩んだり外れたりしない床台の提供が可能となる。
【図面の簡単な説明】
【図１】本発明の第一実施例の床台ユニットの構成を示す一部切欠平面図である。
【図２】本発明の第一実施例の床台を分解して構成を示す斜視図である。
【図３】本発明の端部支持材を示す斜視図である。
【図４】本発明の中間支持材を示す斜視図である。
【図５】本発明の第二実施例の床台を分解して構成を示す斜視図である。
【図６】本発明の端部キャップ部材を示す斜視図である。
【図７】本発明の端仕舞部の外側側面に形成する切り欠き部の各種平面視形状を示す概略図である。
【符号の説明】
１…板材
２…端部支持材
３…中間支持材
４…支持脚
５…表面材
６…支持部
７…端仕舞部
８…突出部
９…ネジ穴部
１０…端仕舞部
１１…支持材
１２…端部キャップ部材
１３…中空部
１４…挿入部
１５…端仕舞部
１６…切り欠き部
１７…床架台
１８…床台
１９…床架台
２０…床台
２１…浴槽
【図１】
2004232403.tif 000003
【図２】
2004232403.tif 000004
【図３】
2004232403.tif 000005
【図４】
2004232403.tif 000006
【図５】
2004232403.tif 000007
【図６】
2004232403.tif 000008
【図７】
2004232403.tif 000009